(57)【要約】【課題】シート状の印刷版材料を外周面に保持した回転中のドラムからの印刷版材料の剥離に起因する光学系の損傷を防止できる印刷版用画像記録装置及び画像記録方法を提供する。【解決手段】この画像記録方法は、ドラムの外周面に保持されたシート状印刷版材料に光学部から画像データに基づいて露光することで画像を形成するものであって、シート状印刷版材料をドラムの外周面で保持し、ドラムを回転駆動し、回転駆動されたドラムの回転が安定したことを検知してから、光学部を退避位置からドラムと対向する記録開始位置へ移動させる。【選択図】図４
2007279546.tif 000002
【特許請求の範囲】
【請求項１】
シート状印刷版材料に露光により画像を形成する印刷版用画像記録装置であって、
前記シート状印刷版材料を外周面で保持し回転可能なドラムと、
前記ドラムに対向する位置に対し移動及び退避が可能であるとともに前記ドラムに保持されたシート状印刷版材料に画像データに基づいて露光する光学部と、
前記ドラムを回転駆動する回転駆動部と、を備え、
前記回転駆動部により駆動した前記ドラムの回転が安定した後に前記光学部を退避位置から記録開始位置へ移動させることを特徴とする印刷版用画像記録装置。
【請求項２】
前記ドラムの回転情報を検出する回転検出部を備え、
前記ドラムの回転の安定を前記回転検出部の検出結果に基づいて検知する請求項１に記載の印刷版用画像記録装置。
【請求項３】
前記ドラム内を減圧して前記シート状印刷版材料を前記ドラムの外周面に保持するための吸着手段と、前記ドラム内の圧力を検出する圧力検出手段と、を備え、
前記ドラムの回転の安定を前記圧力検出手段による検出結果に基づいて検知する請求項１または２に記載の印刷版用画像記録装置。
【請求項４】
前記光学部の前記記録開始位置への移動開始は、前記回転開始時からの経過時間または前記検出した圧力値に基づいて行われる請求項１，２または３に記載の印刷版用画像記録装置。
【請求項５】
前記シート状印刷版材料は基材がアルミニウムである請求項１乃至４のいずれか１項に記載の印刷版用画像記録装置。
【請求項６】
ドラムの外周面に保持されたシート状印刷版材料に光学部から画像データに基づいて露光することで画像を形成する画像記録方法であって、
前記シート状印刷版材料を前記ドラムの外周面で保持するステップと、
前記ドラムを回転駆動するステップと、
前記回転駆動されたドラムの回転が安定したことを検知するステップと、
前記光学部を退避位置から前記ドラムと対向する記録開始位置へ移動させるステップと、を含むことを特徴とする画像記録方法。
【請求項７】
前記ドラムに設けた回転検出部により前記ドラムの回転の安定を検知する請求項６に記載の画像記録方法。
【請求項８】
ドラムの外周面に保持されたシート状印刷版材料に光学部から画像データに基づいて露光することで画像を形成する画像記録方法であって、
前記シート状印刷版材料を前記ドラム内を減圧して前記ドラムの外周面で保持するステップと、
前記ドラムを回転駆動するステップと、
前記回転駆動されたドラムの回転が安定したことを検知するステップと、
前記ドラム内の圧力の検出結果に基づいて前記光学部を退避位置から前記ドラムと対向する記録開始位置へ移動させるステップと、を含むことを特徴とする画像記録方法。
【請求項９】
前記光学部の前記記録開始位置への移動開始を、前記回転開始時からの経過時間または前記検出した圧力値に基づいて行う請求項６，７または８に記載の画像記録方法。
【請求項１０】
前記シート状印刷版材料は基材がアルミニウムである請求項６乃至９のいずれか１項に記載の画像記録方法。
【発明の詳細な説明】
【技術分野】
【０００１】
本発明は、シート状印刷版材料に露光により画像を形成する印刷版用画像記録装置及び画像記録方法に関する。
【背景技術】
【０００２】
ドラムの外周面に保持されたシート状の印刷版材料にドラムを回転させながら露光ビームを光学系により走査露光して画像を記録するアウタードラム型の露光ビーム走査装置が公知である。アウタードラム型の露光ビーム走査装置によれば、０．２ｍｍ程度の厚さのアルミプレート上に感光材料を塗布したシート状の印刷版材料をドラムに巻き付け、印刷版材料の記録面上に露光ビームを用いて比較的短時間で高解像度の画像を記録できるが、この場合、印刷版材料をドラムの外周面に設けたチャックによって固定保持し、露光ビームの露光位置がずれたり、記録面上の露光ビームのスポット光がぼけたりしないようにするものの、回転による遠心力によって印刷版材料がドラムの外周面から浮き上がる、いわゆる版浮きが生じる場合がある。特に、比較的短時間で画像を露光記録するためにドラムを高速に回転する場合、この印刷版材料の版浮きが生じ易い（下記特許文献１参照）。
【０００３】
上述のような画像記録中の印刷版の浮きを、従来、光学部に検出センサ等の検知手段を設けることで印刷版の浮き・剥離に対する安全策を講じていた。また、特許文献１では、光学センサ等を用いた記録面位置測定部により、ドラムとともに回転する記録媒体の記録面に対して垂直方向に変動する記録面の位置を測定し、この記録面位置測定部で得られる測定信号を露光ビームのオートフォーカス調整に用いるとともに、版浮きの有無の判別に用いている。
【特許文献１】特開２００３−２８７９００号公報
【発明の開示】
【発明が解決しようとする課題】
【０００４】
上述のようなアウタードラム型の印刷版用画像記録装置では、ドラムの外周面で印刷版を支持するが、本発明者らによる調査・検討によれば、露光中の印刷版の浮きによるドラムからの剥離は、印刷版材料のドラム外周面での支持位置に起因する場合が多く、また、そうした場合、印刷版の剥離はドラムの回転が安定するまでに発生するケースがほとんどであることが判明した。
【０００５】
一方、検出センサ等の検知機構を設けて印刷版の剥離を検出する安全策もあるが、装置の複雑化、コスト増を伴う場合が多く、また、従来より印刷版の基材としては耐刷性から主にアルミニウムが使用されるが、そうした場合、通常の紙を基材とした記録媒体を用いる露光記録装置と比較すると、剥離に起因して、装置内部のドラムに接近する光学系等へ与える損傷がより重大になってしまうおそれがある。
【０００６】
本発明は、上述のような従来技術の問題に鑑み、シート状の印刷版材料を外周面に保持した回転中のドラムからの印刷版材料の剥離に起因する光学系の損傷を防止できる印刷版用画像記録装置及び画像記録方法を提供することを目的とする。
【課題を解決するための手段】
【０００７】
上記目的を達成するために、本発明による印刷版用画像記録装置は、シート状印刷版材料に露光により画像を形成する印刷版用画像記録装置であって、前記シート状印刷版材料を外周面で保持し回転可能なドラムと、前記ドラムに対向する位置に対し移動及び退避が可能であるとともに前記ドラムに保持されたシート状印刷版材料に画像データに基づいて露光する光学部と、前記ドラムを回転駆動する回転駆動部と、を備え、前記回転駆動部により駆動した前記ドラムの回転が安定した後に前記光学部を退避位置から記録開始位置へ移動させることを特徴とする。
【０００８】
この印刷版用画像記録装置によれば、ドラムの回転が安定することで印刷版材料のドラム外周面からの剥離発生のおそれが殆どなくなるが、このように印刷版材料の剥離のおそれがなくなったドラムの回転安定後に光学部を退避位置から記録開始位置へ移動させるので、光学部等に損傷を与えてしまうおそれがない。
【０００９】
上記印刷版用画像記録装置において前記ドラムの回転情報を検出する回転検出部を備え、前記ドラムの回転の安定を前記回転検出部の検出結果に基づいて検知するように構成できる。
【００１０】
また、前記ドラム内を減圧して前記シート状印刷版材料を前記ドラムの外周面に保持するための吸着手段と、前記ドラム内の圧力を検出する圧力検出手段と、を備え、前記ドラムの回転の安定を前記圧力検出手段による検出結果に基づいて検知するように構成できる。
【００１１】
また、前記光学部の前記記録開始位置への移動開始は、前記回転開始時からの経過時間または前記検出した圧力値に基づいて行われるように構成できる。
【００１２】
また、前記シート状印刷版材料は基材がアルミニウムである場合に印刷版材料の剥離による損傷が重大となるので、かかる場合に回転中のドラムからの印刷版材料の剥離に起因する光学系の損傷を防止できる効果は大きい。
【００１３】
本発明による画像記録方法は、ドラムの外周面に保持されたシート状印刷版材料に光学部から画像データに基づいて露光することで画像を形成する画像記録方法であって、前記シート状印刷版材料を前記ドラムの外周面で保持するステップと、前記ドラムを回転駆動するステップと、前記回転駆動されたドラムの回転が安定したことを検知するステップと、前記光学部を退避位置から前記ドラムと対向する記録開始位置へ移動させるステップと、を含むことを特徴とする。
【００１４】
この画像記録方法によれば、ドラムの回転が安定することで印刷版材料のドラム外周面からの剥離発生のおそれが殆どなくなるが、このように印刷版材料の剥離のおそれがなくなったドラムの回転安定後に光学部を退避位置から記録開始位置へ移動させるので、光学部等に損傷を与えてしまうおそれがない。
【００１５】
上記画像記録方法において前記ドラムに設けた回転検出部により前記ドラムの回転の安定を検知することが好ましい。
【００１６】
本発明によるもう１つの画像記録方法は、ドラムの外周面に保持されたシート状印刷版材料に光学部から画像データに基づいて露光することで画像を形成する画像記録方法であって、前記シート状印刷版材料を前記ドラム内を減圧して前記ドラムの外周面で保持するステップと、前記ドラムを回転駆動するステップと、前記回転駆動されたドラムの回転が安定したことを検知するステップと、前記ドラム内の圧力の検出結果に基づいて前記光学部を退避位置から前記ドラムと対向する記録開始位置へ移動させるステップと、を含むことを特徴とする。
【００１７】
この画像記録方法によれば、ドラム内を減圧して外周面でシート状印刷版材料を保持するので、印刷版材料のドラム外周面からの剥離が生じれば、ドラム内の圧力が安定しないが、このようにドラム内の圧力の検出結果に基づいて印刷版材料の剥離がない状態を検知した後に光学部を退避位置から記録開始位置へ移動させることで、光学部等に損傷を与えてしまうおそれがない。
【００１８】
また、前記光学部の前記記録開始位置への移動開始を、前記回転開始時からの経過時間または前記検出した圧力値に基づいて行うことが好ましい
【００１９】
また、前記シート状印刷版材料は基材がアルミニウムである場合に印刷版材料の剥離による損傷が重大となるので、かかる場合に回転中のドラムからの印刷版材料の剥離に起因する光学系の損傷を防止できる効果は大きい。
【発明の効果】
【００２０】
本発明の印刷版用画像記録装置及び画像記録方法によれば、シート状の印刷版材料を外周面に保持した回転中のドラムからの印刷版材料の剥離に起因する光学部の損傷を防止できる。
【発明を実施するための最良の形態】
【００２１】
以下、本発明を実施するための最良の形態について図面を用いて説明する。図１は本実施の形態による画像記録装置の露光ユニットを上部から見た要部平面図である。
【００２２】
図１に示すように、本実施の形態による画像記録装置は、シート状の印刷版材料に対し画像データに基づいて光学部から光ビームを照射して露光することで画像を形成するための露光ユニット１１を備える。
【００２３】
図１のように、露光ユニット１１は、シート状の印刷版材料を外周面に真空吸引し保持しながら主走査のために回転軸１４ａ，１５ａを中心に回転するドラム１０と、ドラム１０の外周面に対向しドラム１０上の印刷版材料に対しＬＥＤ光等の光ビームを露光する光学部１６と、光学部１６を副走査のために副走査方向ＨまたはＨ’に搬送する副走査部１７と、を備え、円筒外面走査型（アウタードラム型）の印刷版用走査露光装置を構成している。
【００２４】
なお、シート状の印刷版材料は、例えば、０．２ｍｍ程度の厚さのアルミニウムからなる基材上に感光材料を塗布して形成された公知のものである。
【００２５】
図１のように、露光ユニット１１のドラム１０は、回転軸部１４’の回転軸１４ａ及び回転軸部１８ａの回転軸１５ａが軸受３３ａ、３３ｂを介して支持台３４ａ、３４ｂに回転可能に軸支されている。ドラム１０の一方の回転軸１５ａには、駆動プーリ３５ａが設けられ、この駆動プーリ３５ａはドラム駆動用パルスモータＭ６の出力プーリ３５ｂとベルト３６により連結され、ドラム駆動用パルスモータＭ６の駆動によりドラム１０が回転する。
【００２６】
また、ドラム１０の回転軸１５ａには、ロータリーエンコーダ３７が設けられ、回転に伴いパルス信号を出力してドラム１０の回転に同期した画素クロック制御に用いる。
【００２７】
ドラム１０の他方の回転軸１４ａは吸引ブロアＰ１に連結されている。ドラム１０の外周面には吸着孔３１ｃが回転軸方向に直線状に延びて多数形成されており、吸引ブロアＰ１の駆動によりドラム１０の内部が減圧されて印刷版材料がドラム１０の外周面に吸着される。また、吸引連結管５１には圧力センサ（真空度センサ）５１ａが取り付けられており、ドラム１０内の圧力を検出するようになっている。
【００２８】
図１に示すように、光学部１６には、異なる３波長の光源としてＬＥＤユニット３２０、ＬＥＤユニット３２１、ＬＥＤユニット３２２が配置されている。各ＬＥＤユニット３２０，３２１，３２２はそれぞれ複数チャンネル分の基板上に配置された発光ダイオード（ＬＥＤ）を備え、各ＬＥＤユニット３２０，３２１，３２２からの光ビームは、ミラー３２５、３２６、３２７を介して、集光レンズ３３１からドラム１０上の印刷版材料に画像を露光する。露光シャッタ３３２は露光ソレノイド３３３により開閉することで、露光開始／終了時に光路の開閉を行なう。
【００２９】
光学部１６は、ドラム１０に吸着された印刷版材料に光ビームで露光して画像の書き込みを行うために、副走査部１７によりドラム軸と平行に移動可能になっている。副走査部１７は、光学部１６を固定した移動ベルト３４０と、光学部１６をガイドする一対のガイドレール３４１、３４２と、移動ベルト３４０を駆動する副走査モータＭ７と、を備える。
【００３０】
副走査部１７の移動ベルト３４０に固定された光学部１６は、一対のガイドレール３４１、３４２に案内されてドラム軸と平行方向の副走査方向Ｈ及びその反対の方向Ｈ’に移動可能に設けられている。移動ベルト３４０は一対のプーリ３４３、３４４に掛け渡され、一方のプーリ３４４は副走査モータＭ７の出力軸３４５に連結され、副走査モータＭ７の駆動により光学部１６がドラム軸と平行に副走査方向Ｈ、その反対の方向Ｈ’に移動する。
【００３１】
図１に示すように、吸引ブロアＰ１は空気吸引ポンプにより吸引連結管５１を通してドラム１０内を吸引し、露光ユニット１１による露光開始前にドラム１０内を負圧にし印刷版材料をドラム１０の外周面に吸着して保持する。
【００３２】
次に、図１の画像記録装置の制御について図２，図３を参照して説明する。図２は、図１の画像記録装置の露光ユニット１１における制御系の要部ブロック図である。図３は、図１の画像記録装置の制御を説明するためにドラムと光学部との相対位置を概略的に示す要部平面図である。
【００３３】
図２のように、露光ユニット１１は、中央演算処理装置（ＣＰＵ）等から構成された制御部５０と、外部からＹＭＣＫの画像データが入力する画像データＩ／Ｆ部５２と、画像データＩ／Ｆ部５２からの画像データをいったん記憶し随時出力するハードディスク記憶装置等からなるデータバッファ５３と、データバッファ５３からの画像データに対する光源駆動値を対応づけて印刷版材料に対する露光のための露光データとするルックアップテーブル（ＬＵＴ）５４と、ルックアップテーブル５４からの露光データのデジタル信号をアナログ信号に変換する各ＬＥＤユニット３２０〜３２２に対応した複数のＤ／Ａ変換部５５ａ，５５ｂ，５５ｃと、Ｄ／Ａ変換部５５ａ〜５５ｃからの各アナログ信号により各ＬＥＤユニット３２０〜３２２の各ＬＥＤを直接にアナログ変調しドライブする複数のドライバ５６ａ，５６ｂ，５６ｃと、を備える。
【００３４】
図２の制御部５０は、画像データＩ／Ｆ部５２、データバッファ５３、ルックアップテーブル５４、ドラム駆動用パルスモータＭ６、副走査モータＭ７及び他の装置部分を制御するとともに、図１のロータリーエンコーダ３７、圧力センサ５１ａ及びタイマ５８からの信号が入力し、ドラム１０の外周面に保持された印刷版材料への露光中に印刷版材料がドラム１０から剥離して光学部１６へ損傷を与えることを防ぐために次のような制御を行う。
【００３５】
即ち、制御部５０は、図１のドラム１０の回転に同期して、画素クロック制御のためのロータリーエンコーダ３７から発生するパルス信号によりドラム１０の回転数を検出し、その検出した回転数に基づいてドラム１０の回転が安定したか否かを検知する。ドラム１０の設定した回転数に対し検知した回転数が例えば、所定の誤差範囲内であれば、ドラム１０の回転が安定したと判断する。例えば、ドラム１０の設定した回転数が１０００ｒｐｍであり、所定の誤差範囲を±２％としたとき、検知した回転数が９８０〜１０２０ｒｐｍであれば、ドラム１０の回転が安定したとする。
【００３６】
図３のように、光学部１６を副走査部１７により方向Ｈ’に移動させることで、光学部１６が図１のドラム１０に対し図３の実線で示す退避位置に移動している。この光学部１６の退避位置では、光学部１６の集光レンズ３３１が図３のドラム１０の軸端部１０ａから離れている。
【００３７】
図３のようにドラム１０が退避位置にある状態で、吸引ブロアＰ１を駆動しドラム１０の外周面にシート状の印刷版材料Ｓを吸着し保持してから、ドラム駆動用パルスモータＭ６を駆動してドラム１０を回転する。そして、ロータリーエンコーダ３７から発生するパルス信号により検出した回転数に基づいてドラム１０の回転が安定したことを検知してから、光学部１６を副走査部１７により方向Ｈに移動させドラム１０の軸端部１０ａ（図３）近傍の記録開始位置（図１の光学部１６の位置）まで移動させる。この記録開始位置で、図３の破線に示すように、光学部１６の集光レンズ３３１がドラム１０の外周面に保持された印刷版材料Ｓに対向し、光学部１６の集光レンズ３３１を介して出射した光ビームで印刷版材料Ｓを露光し画像形成を行う。
【００３８】
次に、図１〜図３の画像記録装置における動作について図４のフローチャートを参照して説明する。
【００３９】
図２の画像Ｉ／Ｆ５２に外部から画像データが入力すると（Ｓ０１）、光学部１６を図３の実線で示す退避位置に移動させ（Ｓ０２）、図３のようにドラム１０の外周面に印刷版材料Ｓを吸着し保持する（Ｓ０３）。なお、印刷版材料Ｓをドラム１０に保持してから、光学部１６を退避位置に移動させてもよい。
【００４０】
次に、ドラム１０を回転駆動し（Ｓ０４）、ロータリーエンコーダ３７からのパルス信号により検出した回転数に基づいてドラム１０の回転が安定したことを検知すると（Ｓ０５）、光学部１６を図１の記録開始位置に移動する（Ｓ０６）。
【００４１】
そして、ドラム１０の回転による主走査と、光学部１６の副走査部１７による副走査方向Ｈへの副走査と、による走査を行いながら、入力した画像データに基づいて変調された光学部１６のＬＥＤユニット３２０〜３２２からの光ビームが集光レンズ３３１を介して印刷版材料に露光される（Ｓ０７）。
【００４２】
本実施の形態では、上述のようにして、ドラム１０の外周面に保持された印刷版材料Ｓに対し画像データに基づいて露光することで画像形成を行うが、この露光開始前にドラム１０の回転安定を検知するので、ドラム１０が回転する露光中に印刷版材料がドラム１０から剥離することがなく、印刷版材料が剥離して光学部１６、特に集光レンズ３３１に接触することによる損傷を未然に防止できる。
【００４３】
回転中のドラム１０の外周面から印刷版材料が剥離するのは、ドラム１０が回転を開始し回転が安定するまでの間であることが殆どであるので、ドラム１０の回転が安定して印刷版材料の剥離のおそれがなくなった後に、光学部１６を記録開始位置に移動させることで、光学部１６の集光レンズ３３１が露光のためにドラム１０上の印刷版材料Ｓと接近しても、集光レンズ３３１と印刷版材料Ｓとの接触が発生せず、光学部１６、特に集光レンズ３３１の損傷を未然に防ぐことができる。
【００４４】
また、シート状印刷版材料は基材がアルミニウムであり、このようなアルミニウム版材料が回転中に剥離すると、光学部１６等に与える損傷が重大となるが、かかる場合に回転中のドラムからの印刷版材料の剥離に起因する光学部１６等の損傷を防止できるので、本実施の形態で得られる上記効果は大きいものであるといえる。
【００４５】
次に、ドラム１０の回転の安定を検知する別の方法について図５のフローチャートを参照して説明する。図５の方法は、図１，図２のドラム１０内部の圧力を検出する圧力センサ５１ａの出力値に基づいて印刷版材料がドラム外周面から剥離していないことを検知するものである。
【００４６】
図５のように、外部から画像データが入力し（Ｓ１１）、光学部１６を図３の実線で示す退避位置に移動させ（Ｓ１２）、ドラム１０の外周面に印刷版材料Ｓを吸着し保持してから（Ｓ１３）、ドラム１０を回転駆動する（Ｓ１４）。
【００４７】
次に、ドラム１０内の圧力値を圧力センサ５１ａで検出し、その検出した圧力値が安定したことを検知すると（Ｓ１５）、光学部１６を図１の記録開始位置に移動する（Ｓ１６）。
【００４８】
そして、ドラム１０の回転による主走査と、光学部１６の副走査部１７による副走査方向Ｈへの副走査と、による走査を行いながら、入力した画像データに基づいて変調された光学部１６のＬＥＤユニット３２０〜３２２からの光ビームが集光レンズ３３１を介して印刷版材料に露光される（Ｓ１７）。
【００４９】
以上のように、ドラム１０の外周面から印刷版材料が剥離すると、真空吸引をしているドラム１０の内部圧力が変化し大気圧に近づくので、圧力センサ５１ａの出力値が安定したことを検知することで、ドラム１０の外周面からの印刷版材料の剥離がないことを検知し、光学部を退避位置から記録開始位置へ移動させる。このように露光開始前にドラム１０の外周面からの印刷版材料の剥離がないことを検知するので、ドラム１０が回転する露光中に印刷版材料がドラム１０から剥離することがなく、印刷版材料が剥離して光学部１６、特に集光レンズ３３１に接触することによる損傷を未然に防止できる。
【００５０】
なお、ドラム１０の回転開始から、圧力センサ５１ａの出力値が安定するまでの時間と、ドラム１０の回転が安定するまで時間とは、ほぼ同じである。
【００５１】
また、本実施の形態による画像記録装置は、例えば印刷工場のクライアント端末からのＰＳ(PostScript)データ等の画像データがＲＩＰ(Raster Image Processor)等の画像処理装置で２値網点画像データに変換処理され、この変換処理された２値網点画像データがデジタルで直接印刷用の原版を作成するための装置であるＣＴＰ（コンピュータツウプレート）装置を構成可能である。
【００５２】
以上のように本発明を実施するための最良の形態について説明したが、本発明はこれらに限定されるものではなく、本発明の技術的思想の範囲内で各種の変形が可能である。例えば、光学部１６の退避位置から記録開始位置への移動開始のトリガ信号は、図２のタイマ５８でドラム１０の回転開始時からの経過時間を計測し、所定時間経過時に発するようにしてもよく、また、ドラム１０内の検出した圧力値をモニタし所定範囲内の圧力値になったときに発するようにしてもよい。これらの所定時間や圧力値の所定範囲は、印刷版材料の剥離発生との関係を予め求めておき、制御部５０のメモリに記憶させておく。
【００５３】
また、光学部１６における印刷版材料に対する露光のための光源は、ＬＥＤ以外のものでもよく、例えば、半導体レーザであってもよい。また、印刷版材料は、アルミニウム版材料に限定されず、基材が樹脂からなる印刷版材料であってもよい。
【図面の簡単な説明】
【００５４】
【図１】本実施の形態による画像記録装置の露光ユニットを上部から見た要部平面図である。
【図２】図１の画像記録装置の露光ユニット１１における制御系の要部ブロック図である。
【図３】図１の画像記録装置の制御を説明するためにドラムと光学部との相対位置を概略的に示す要部平面図である。
【図４】図１〜図３の画像記録装置における動作を説明するためのフローチャートである。
【図５】図１〜図３の画像記録装置における別の動作を説明するためのフローチャートである。
【符号の説明】
【００５５】
１０ ドラム
１１ 露光ユニット
１６ 光学部
１７ 副走査部
３７ ロータリーエンコーダ（回転検出部）
５０ 制御部
５１ａ 圧力センサ（圧力検出手段）
５８ タイマ
Ｈ、Ｈ’ 副走査方向及びその反対方向
Ｐ１ 吸引ブロア
Ｓ 印刷版材料
【図１】
2007279546.tif 000003
【図２】
2007279546.tif 000004
【図３】
2007279546.tif 000005
【図４】
2007279546.tif 000006
【図５】
2007279546.tif 000007